(57)【特許請求の範囲】
【請求項１】
被検体の動きのある部位にＸ線を照射して時系列のデータを収集する収集部と、
収集されたデータを、予め定められた、視野サイズについての条件、画質特性についての条件及び断層像を形成するときの断層間隔についての条件を含む再構成条件を基に処理して前記被検体の画像を再構成する処理部と、
前記被検体の前記部位の動きの中で痛みがあったことを表す生体反応情報を入力する入力部と、
表示部に前記被検体の画像を表示させる表示制御部と、
前記処理部が画像を再構成しているときに前記生体反応情報が入力された場合に、前記再構成条件に含まれる条件のうち少なくとも一つの条件を変更させて前記生体反応情報が入力された時点に対応する再構成を実行させる制御部と、を有する医用画像診断装置。
【請求項２】
前記再構成条件に含まれる条件のうち少なくとも一つの条件が前記断層間隔である場合は、前記生体反応情報が入力された場合に前記断層間隔を変更前より狭くすることを特徴とする請求項１に記載の医用画像診断装置。
【請求項３】
前記収集部は、時系列のいずれの時点においても前記被検体を載置する天板の位置を固定した状態で、前記被検体の動きのある部位に対して前記Ｘ線を照射することで、前記時系列のデータを取得することを特徴とする請求項１または２に記載の医用画像診断装置。
【請求項４】
前記表示制御部は、前記生体反応情報が入力されるまでは変更前の前記条件で再構成された画像を順次更新して前記表示部に表示させ、前記生体反応情報が入力されたときは、変更後の前記条件で再構成された画像を順次更新して前記表示部に表示させることを特徴とする請求項１〜請求項３のいずれか一項に記載の医用画像診断装置。
【請求項５】
前記処理部は、収集されたデータに所定の前処理を施して投影データを生成する前処理部と、生成された投影データに再構成処理を施して画像データを生成する再構成処理部と、生成された前記画像データに所定の処理を施すデータ処理部とを含み、
前記制御部は、前記Ｘ線の照射が行われているときに前記生体反応情報が入力された場合に、当該生体反応情報に基づく所定の付加情報を前記画像データに付加する処理を前記データ処理部に実行させる
ことを特徴とする請求項１に記載の医用画像診断装置。
【請求項６】
前記制御部は、前記付加情報としての所定の付帯情報を前記画像データに付帯させる処理を前記データ処理部に実行させることを特徴とする請求項５に記載の医用画像診断装置。
【請求項７】
前記制御部は、前記付加情報としての所定の埋め込み情報を前記画像データに埋め込む処理を前記データ処理部に実行させることを特徴とする請求項５に記載の医用画像診断装置。
【請求項８】
前記再構成処理部は、前記画像データとしてボリュームデータを生成し、
前記制御部は、前記ボリュームデータの任意の断面に含まれる前記ボリュームデータ内の位置に前記埋め込み情報を埋め込む処理を前記データ処理部に実行させることを特徴とする請求項７に記載の医用画像診断装置。
【請求項９】
前記制御部は、前記画像データに基づく画像と前記付加情報に基づく表示情報とを前記表示部に表示させるように前記表示制御部を制御することを特徴とする請求項５〜請求項８のいずれか一項に記載の医用画像診断装置。
【請求項１０】
前記生体反応情報は、前記生体反応の程度を示す程度情報を含み、
前記制御部は、前記程度情報が示す前記生体反応の程度に応じて異なる前記付加情報を付加させるように前記データ処理部を制御する
ことを特徴とする請求項５〜請求項８のいずれか一項に記載の医用画像診断装置。
【請求項１１】
前記制御部は、前記画像データに基づく画像と前記程度情報に応じた態様の表示情報とを前記表示部に表示させるように前記表示制御部を制御することを特徴とする請求項１０に記載の医用画像診断装置。
【請求項１２】
前記入力部は、前記被検体の前記部位における生体反応の監視をしていて前記痛みが顕われた特定の状態になったことを検知して前記生体反応情報として生成する検知部を含むことを特徴とする請求項１〜請求項１１のいずれか一項に記載の医用画像診断装置。
【請求項１３】
前記入力部は、操作者による操作に対応して前記生体反応情報としての信号を入力する操作部を含むことを特徴とする請求項１〜請求項１１のいずれか一項に記載の医用画像診断装置。
【発明の詳細な説明】
【技術分野】
【０００１】
この発明の実施形態は医用画像診断装置に関する。
【背景技術】
【０００２】
Ｘ線を用いて被検体の内部を画像化する医用画像診断装置として、Ｘ線撮影装置やＸ線ＣＴ装置が知られている。Ｘ線撮影装置は、被検体にＸ線を照射し、その透過Ｘ線を２次元Ｘ線検出器で検出することで、被検体の内部を画像化する装置である。Ｘ線撮影装置による撮影方法には、単発のＸ線照射により静止画像を得る通常撮影と、Ｘ線を連続的に又は間欠的に照射して動画像を得る透視撮影がある。
【０００３】
Ｘ線ＣＴ（Ｃｏｍｐｕｔｅｄ  Ｔｏｍｏｇｒａｐｈｙ）装置は、被検体をＸ線でスキャンしてデータを収集し、収集されたデータをコンピュータで処理することにより、被検体の内部を画像化する装置である。
【０００４】
具体的には、Ｘ線ＣＴ装置は、被検体をＸ線でスキャンしてデータを収集し、収集されたデータをコンピュータで処理することにより、被検体の内部を画像化する装置である。具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、データ処理系に送信される。データ処理系は、検出データに前処理等を施すことで投影データを形成する。続いて、データ処理系は、投影データに基づく再構成処理を実行して断層画像データを形成する。
【０００５】
また、データ処理系は、更なる再構成処理として、複数の断層画像データに基づきボリュームデータを形成する。ボリュームデータは、被検体の３次元領域に対応するＣＴ値の３次元分布を表すデータセットである。ボリュームデータを取得する場合には、多列型Ｘ線検出器を用いたボリュームスキャンが適用される。また、ボリュームスキャンを反復して行うことにより、時相の異なる複数のボリュームデータを取得することができる（４Ｄスキャン）。
【０００６】
Ｘ線ＣＴ装置は、ボリュームデータを任意の方向にレンダリングすることによりＭＰＲ（Ｍｕｌｔｉ  Ｐｌａｎａｒ  Ｒｅｃｏｎｓｔｒｕｃｔｉｏｎ）表示を行うことができる。ＭＰＲ表示された断面画像（ＭＰＲ画像）には、直交３軸画像とオブリーク画像がある。直交３軸画像とは、体軸に対する直交断面を示すアキシャル像、体軸に沿って被検体を縦切りした断面を示すサジタル像、及び、体軸に沿って被検体を横切りした断面を示すコロナル像を示す。オブリーク画像は、直交３軸画像以外の断面を示す画像である。また、Ｘ線ＣＴ装置は、任意の視線を設定してボリュームデータをレンダリングすることで、この視線から被検体の３次元領域を見たときの擬似的３次元画像を形成する。
【先行技術文献】
【特許文献】
【０００７】
【特許文献１】特開２０１１−４９６６号公報
【特許文献２】特開２０１０−２５９６５３号公報
【発明の概要】
【発明が解決しようとする課題】
【０００８】
ボリュームスキャンや４Ｄスキャンは、関節の動作状態を観察するために使用される。特に、４Ｄスキャンは、関節を動作させながらの連続撮影に用いられる。このような関節の検査において、患者が痛みを感じるタイミングに対応して装置を制御したいとの要望があった。たとえば、痛みの有無に応じて、取得する画像の態様を変更したいとの要望があった。他の診療分野においても、生体反応の変化を的確に把握するために、その生体反応の状態に応じて装置を制御することが望まれていた。しかしながら、従来のＸ線ＣＴ装置では、このような制御を行うことができなかった。このような事情は、従来のＸ線撮影装置においても同様であった。
【０００９】
この発明が解決しようとする課題は、被検者の生体反応の状態に応じた制御が可能な医用画像診断装置を提供することである。
【課題を解決するための手段】
【００１０】
実施形態に係る医用画像診断装置は、被検体の動きのある部位にＸ線を照射してデータを収集する収集部と、収集されたデータを、予め定められた、視野サイズについての条件、画質特性についての条件及び断層像を形成するときの断層間隔についての条件を含む再構成条件を基に処理して前記被検体の画像を再構成する処理部と、前記被検体の前記部位の動きの中で痛みがあったことを表す生体反応情報を入力する入力部と、表示部に情報を表示させる表示制御部と、前記処理部が画像を再構成しているときに前記生体反応情報が入力された場合に、前記再構成条件に含まれる条件のうち少なくとも一つの条件を変更させて再構成を実行させる制御部と、を有する。
【図面の簡単な説明】
【００１１】
【図１】実施形態に係るＸ線ＣＴ装置（医用画像診断装置）の構成を表すブロック図である。
【図２】実施形態に係るＸ線ＣＴ装置の構成を表すブロック図である。
【図３】実施形態に係るＸ線ＣＴ装置の動作例を表すフローチャートである。
【図４】実施形態に係るＸ線ＣＴ装置の動作例を表すフローチャートである。
【図５】実施形態に係るＸ線ＣＴ装置の動作例を表すフローチャートである。
【図６】実施形態に係るＸ線ＣＴ装置の動作例を表すフローチャートである。
【図７】実施形態に係るＸ線ＣＴ装置の動作例を表すフローチャートである。
【図８】実施形態に係るＸ線ＣＴ装置の動作例を表すフローチャートである。
【図９】実施形態に係るＸ線ＣＴ装置の動作例を表すフローチャートである。
【図１０】変形例に係るＸ線ＣＴ装置の構成を表すブロック図である。
【図１１】変形例に係るＸ線ＣＴ装置の構成を表すブロック図である。
【発明を実施するための形態】
【００１２】
実施形態に係る医用画像診断装置について図面を参照しながら説明する。以下、Ｘ線ＣＴ装置の実施形態について詳述するが、同様の構成をＸ線撮影装置に適用することも可能である。
【００１３】
［構成］
図１及び図２を参照して、実施形態に係るＸ線ＣＴ装置１の構成例を説明する。なお、「画像」と「画像データ」を同一視することがある。
【００１４】
Ｘ線ＣＴ装置１は、架台装置１０と、寝台装置３０と、コンソール装置４０と、生体反応検知部５０とを含んで構成される。
【００１５】
（架台装置）
架台装置１０は、被検体Ｅに対してＸ線を曝射し、被検体Ｅを透過したＸ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１６】
Ｘ線発生部１１は、Ｘ線を発生させるＸ線管球（たとえば、円錐状や角錐状のビームを発生する真空管。図示なし）を含んで構成される。発生されたＸ線は被検体Ｅに対して曝射される。
【００１７】
Ｘ線検出部１２は、複数のＸ線検出素子（図示なし）を含んで構成される。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。
【００１８】
Ｘ線検出部１２としては、たとえば、互いに直交する２方向（スライス方向とチャンネル方向）にそれぞれ複数の検出素子が配置された２次元Ｘ線検出器（面検出器）が用いられる。複数のＸ線検出素子は、たとえば、スライス方向に沿って３２０列設けられている。このように多列のＸ線検出器を用いることにより、１回転のスキャンでスライス方向に幅を有する３次元の領域を撮影することができる（ボリュームスキャン）。なお、スライス方向は被検体Ｅの体軸方向に相当し、チャンネル方向はＸ線発生部１１の回転方向に相当する。
【００１９】
回転体１３は、Ｘ線発生部１１とＸ線検出部１２とを被検体Ｅを挟んで対向する位置に支持する部材である。回転体１３は、スライス方向に貫通した開口部を有する。開口部には、被検体Ｅが載置された天板が挿入される。回転体１３は、架台駆動部１５によって、被検体Ｅを中心とした円軌道に沿って回転される。
【００２０】
高電圧発生部１４は、Ｘ線発生部１１に対して高電圧を印加する。Ｘ線発生部１１は、この高電圧に基づいてＸ線を発生させる。Ｘ線絞り部１６は、スリット（開口）を形成し、このスリットのサイズ及び形状を変えることで、Ｘ線発生部１１から出力されたＸ線のファン角（チャンネル方向の広がり角）とＸ線のコーン角（スライス方向の広がり角）とを調整する。絞り駆動部１７は、Ｘ線絞り部１６を駆動して、スリットのサイズ及び形状を変更する。
【００２１】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。更に、データ収集部１８は、収集された検出データ（電流信号）を電圧信号に変換し、この電圧信号を周期的に積分して増幅し、デジタル信号に変換する。そして、データ収集部１８は、デジタル信号に変換された検出データをコンソール装置４０に送信する。
【００２２】
（寝台装置）
寝台装置３０の天板（図示せず）には被検体Ｅが載置される。寝台装置３０は、被検体Ｅが載置された天板を、被検体Ｅの体軸方向に移動させる。また、寝台装置３０は、天板を上下方向に移動させる。
【００２３】
（コンソール装置）
コンソール装置４０は、Ｘ線ＣＴ装置１に対する操作入力に用いられる。また、コンソール装置４０は、架台装置１０から入力された検出データから被検体Ｅの内部形態を表すＣＴ画像データ（断層画像データやボリュームデータ）を再構成する。コンソール装置４０は、制御部４１と、スキャン制御部４２と、処理部４３と、記憶部４４と、表示部４５と、操作部４６とを含んで構成される。
【００２４】
制御部４１、スキャン制御部４２及び処理部４３は、たとえば処理装置と記憶装置を含んで構成される。処理装置としては、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）が用いられる。記憶装置は、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）を含んで構成される。記憶装置には、Ｘ線ＣＴ装置１の各部の機能を実行するためのコンピュータプログラムが記憶されている。処理装置は、これらコンピュータプログラムを実行することで、上記機能を実現する。制御部４１は、装置各部を制御する。
【００２５】
制御部４１は、主制御部４１１と、収集制御部４１２と、表示制御部４１３と、処理制御部４１４とを有する。
【００２６】
主制御部４１１は、Ｘ線ＣＴ装置１の全体的な制御を行う。たとえば、主制御部４１１は、収集制御部４１２、表示制御部４１３及び処理制御部４１４を制御する。主制御部４１１は、各構成部位４１２〜４１４に対する制御を独立に行うこともできるし、これら構成部位４１２〜４１４のうちの２つ以上に対する制御を連係させて行うこともできる。
【００２７】
収集制御部４１２は、主制御部４１１による制御を受けてスキャン用の制御信号を生成し、これをスキャン制御部４２に送る。スキャン制御部４２は、この制御信号に基づいて、高電圧発生部１４、架台駆動部１５、絞り駆動部１７及び寝台装置３０に対して後述の制御を行うことにより、被検体ＥをＸ線でスキャンさせる。この制御信号は、所定のスキャン条件の設定値を含む。
【００２８】
スキャン条件には、管電圧、管電流、撮影時間、照射間隔などがある。管電圧は、Ｘ線発生部１１（Ｘ線管球）における電子の加速電圧である。管電流は、Ｘ線発生部１１における電子流による電流である。撮影時間は、Ｘ線を曝射する時間である。照射間隔は、Ｘ線を照射する時間間隔である。なお、照射間隔＝０は連続照射を意味し、照射間隔≠０は間欠照射を意味するものとする。このようなスキャン条件は、Ｘ線の照射に関して設定される条件（Ｘ線照射条件）の例である。
【００２９】
表示制御部４１３は、主制御部４１１による制御を受けて表示用の制御信号を生成し、これを表示部４５に送る。また、表示制御部４１３は、主制御部４１１による制御を受けて表示に供される情報を加工し、この加工された情報を表示部４５に送る。表示部４５は、この制御信号及び／又は加工された情報に基づいて、各種画面、画像、テキスト等の情報を表示する。
【００３０】
処理制御部４１４は、主制御部４１１による制御を受けて処理用の制御信号を生成し、これを処理部４３に送る。この実施形態では、この制御信号の送信先は再構成処理部４３２及び／又は情報付加部４３４であるとする。再構成処理部４３２は、この制御信号を受けて、たとえば再構成条件の設定を行う。また、情報付加部４３４は、この制御信号を受けて、所定の付加情報を画像データに付加する。これらの処理については後述する。
【００３１】
なお、処理部４３における他の構成部位、たとえば前処理部４３１やレンダリング処理部４３３に対して制御信号を送るように構成することも可能である。その場合、前処理部４３１は、データ収集部１８からの検出信号から投影データを生成するいわゆる前処理の条件を、この制御信号に基づいて設定する。また、レンダリング処理部４３３は、ボリュームデータから他の画像データを生成するレンダリング処理の条件を、この制御信号に基づいて設定する。また、処理部４３に他の構成部位が設けられている場合も同様に、この構成部位は、処理制御部４１４からの制御信号に基づいて所定の処理を実行したり、所定の処理の条件を設定したりする。
【００３２】
スキャン制御部４２は、Ｘ線によるスキャンに関する動作を統合的に制御する。この統合的な制御は、高電圧発生部１４の制御と、架台駆動部１５の制御と、絞り駆動部１７の制御と、寝台装置３０の制御とを含む。高電圧発生部１４の制御は、Ｘ線発生部１１に対して所定の高電圧を所定のタイミングで印加させるように高電圧発生部１４を制御するものである。架台駆動部１５の制御は、所定のタイミング及び所定の速度で回転体１３を回転駆動させるように架台駆動部１５を制御するものである。絞り制御部１７の制御は、Ｘ線絞り部１６が所定のサイズ及び形状のスリットを形成するように絞り駆動部１７を制御するものである。寝台装置３０の制御は、所定の位置に所定のタイミングで天板を移動させるように寝台装置３０を制御するものである。なお、ボリュームスキャンでは、天板の位置を固定した状態でスキャンが実行される。また、ヘリカルスキャンでは、天板を移動させながらスキャンが実行される。
【００３３】
処理部４３は、架台装置１０（データ収集部１８）から送信された検出データに対して各種処理を実行する。処理部４２は、前処理部４３１と、再構成処理部４３２と、レンダリング処理部４３３と、情報付加部４３４とを含んで構成される。
【００３４】
前処理部４３１は、架台装置１０からの検出データに対して対数変換処理、オフセット補正、感度補正、ビームハードニング補正等を含む前処理を行って、投影データを生成する。
【００３５】
再構成処理部４３２は、前処理部４３１により生成された投影データに基づいて、ＣＴ画像データ（断層画像データやボリュームデータ）を生成する。断層画像データの再構成処理としては、たとえば、２次元フーリエ変換法、コンボリューション・バックプロジェクション法等、任意の方法を適用することができる。ボリュームデータは、再構成された複数の断層画像データを補間処理することにより生成される。ボリュームデータの再構成処理としては、たとえば、コーンビーム再構成法、マルチスライス再構成法、拡大再構成法等、任意の方法を適用することができる。上述した多列のＸ線検出器を用いたボリュームスキャンにおいては、広範囲のボリュームデータを再構成することができる。
【００３６】
再構成処理は、あらかじめ設定された再構成条件に基づいて実行される。再構成条件には、様々な項目（条件項目ということがある）が含まれる。条件項目の例として、ＦＯＶ（ｆｉｅｌｄ  ｏｆ  ｖｉｅｗ）、再構成関数、断面間隔などがある。ＦＯＶは視野サイズを規定する条件項目である。再構成関数は、コントラスト、分解能等の画質特性などを規定する条件項目である。断面間隔は、再構成される断層像が描写する断面の間隔、つまり互いに平行な隣接する断面の間の距離を規定する条件項目である。
【００３７】
再構成条件は、自動で設定されてもよいし、手動で設定されてもよい。自動設定の例として、撮影部位ごとにあらかじめ設定された内容を、撮影部位の指定等に対応して選択的に適用する方法がある。また、詳細は後述するが、この実施形態では、被検体Ｅの生体反応の検知結果に応じて断面間隔が自動で設定される。なお、断面間隔だけでなくＦＯＶや再構成関数についても、生体反応の検知結果に応じて自動で設定できるようにしてもよい。また、手動設定の例として、所定の再構成条件設定画面を表示部４５に表示させ、操作部４６を用いて再構成条件設定画面を操作する方法がある。
【００３８】
レンダリング処理部４３３は、たとえば、ＭＰＲ処理とボリュームレンダリングを実行可能である。ＭＰＲ処理は、再構成処理部４３２により生成されたボリュームデータに任意の断面を設定してレンダリング処理を施すことにより、この断面を表すＭＰＲ画像データを生成する画像処理である。ボリュームレンダリングは、任意の視線（レイ）に沿ってボリュームデータをサンプリングし、その値（ＣＴ値）を加算していくことにより、被検体Ｅの３次元領域を表す擬似的３次元画像データを生成する画像処理である。
【００３９】
情報付加部４３４は、被検体Ｅの生体反応の検知結果に応じた所定の付加情報を画像データに付加する。この画像データは、たとえば、再構成処理部４３２により生成されたボリュームデータ若しくは断層像データ、又は、レンダリング処理部４３３により生成された画像データである。また、この画像データは、再構成処理部４３２又はレンダリング処理部４３３により画像データに対して処理部４３が任意の画像処理を施して生成された画像データであってもよい。この画像処理により得られる画像データの例として、２つの画像データの差分として得られるサブトラクション画像、Ｘ線ＣＴ装置１により生成された画像データと他のモダリティにより生成された画像データとを合成して得られるフュージョン画像などがある。また、付加情報とは、画像データとともに処理される任意の情報を意味する。ここに言う「付加」とは、画像データの外部に付加することと、画像データの内部に付加することの双方を含む。情報付加部４３４は「データ処理部」の一例として機能する。以下、情報付加部４３４が実行する処理の例を説明する。なお、ここでは付加情報の付加方法の説明を行うこととし、生体反応の検知結果に応じた処理の具体例については後述するものとする。
【００４０】
第１の処理例は、画像データの外部に付加される付加情報の例である。第１の処理例の付加情報は、画像データの保存及び通信に関する標準規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）における付帯情報である。この付帯情報は一般に「ＤＩＣＯＭ  Ｔａｇ（ダイコム  タグ）」と呼ばれる。ＤＩＣＯＭ  Ｔａｇには、任意の情報を記録可能な領域が設けられている。情報付加部４３４は、ＤＩＣＯＭ  Ｔａｇ中の当該記録領域に所定の付帯情報を記録することにより、付加情報の外部的な付加を行う。
【００４１】
第２の処理例は、画像データの内部に付加される付加情報の例である。第２の処理例の付加情報は、画像データに埋め込まれる所定形式の情報である。この情報を「埋め込み情報」と呼ぶ。ここで「埋め込み」とは、画像データの一部を他の情報に置換すること、及び、他の情報が記録される領域（つまり画素）を画像データに加えて新たな画像データを生成すること、の少なくともいずれかを意味する。情報付加部４３４は、このような埋め込み処理を画像データに対して実行することにより、付加情報の内部的な付加を行う。
【００４２】
画像データに基づく画像を表示させたときに、埋め込み情報は不可視的であってもよいし可視的であってもよい。不可視的な埋め込み情報を適用する場合、この埋め込み情報を参照して、当該画像とは別に又は当該画像とともに、可視的情報を表示させることができる。
【００４３】
可視的な埋め込み情報を適用する場合の例として、画像データに基づく画像において、診断の邪魔にならない領域に情報を埋め込むことができる。診断の邪魔にならない領域とは、被検体Ｅを描画している領域以外の領域、体内に挿入されている器具（穿刺針等）を描画している領域以外の領域、被検体Ｅの体表に付されている器具（心電計の電極、位置を示すマーカ等）を描画している領域以外の領域などである。
【００４４】
画像データがボリュームデータである場合における可視的な埋め込み情報の例を説明する。この例において、情報付加部４３４は、ボリュームデータの任意の断面に含まれる当該ボリュームデータ内の位置に埋め込み情報を埋め込む。任意の断面は、ＭＰＲ処理により得られる直交３軸画像の直交３断面と、任意のオブリーク画像の断面の少なくとも一方を含むものとする。このような条件を満足するボリュームデータ内の位置は、たとえば、ボリュームデータの全外周面及び／又はその近傍内部（つまり外周面から所定の画素数だけ内側）の位置である。なお、スキャンされた領域よりも真に小さいＦＯＶのボリュームデータが生成された場合、それよりも大きなＦＯＶのボリュームデータ（たとえばスキャンされた領域全体をＦＯＶとするボリュームデータ）に埋め込まれた情報から小さいＦＯＶのボリュームデータに対する埋め込み情報を生成することが可能である。
【００４５】
生体反応検知部５０が生体反応の程度を検出できるように構成されている場合（後述）、情報付加部４３４は次のような処理を行うことができる。ここで、「生体反応の程度」とは生体反応の強さ、度合い、頻度等を表すものであり、その例として痛みの強さ、心拍数の多さ、呼吸の頻度などがある。生体反応検知部５０は、このような生体反応の程度を検出し、それに応じた検出信号（程度情報）を生成して出力する。情報付加部４３４は、この程度情報が示す生体反応の程度に応じて異なる付加情報を画像データに付加する。その具体例として、生体反応の程度の高さに応じ、画像情報や文字列情報としての付加情報の色、階調、サイズ、埋め込み位置などを違えることができる。また、生体反応の程度に応じて付加情報の内容自体（画像自体、文字列自体）を違えることもできる。
【００４６】
記憶部４４は、検出データ、投影データ、再構成処理後の画像データ等を記憶する。表示部４５は、ＬＣＤ（Ｌｉｑｕｉｄ  Ｃｒｙｓｔａｌ  Ｄｉｓｐｌａｙ）等の表示デバイスによって構成される。操作部４６は、Ｘ線ＣＴ装置１に対する各種の指示入力や情報入力に用いられる。操作部４６は、たとえばキーボード、マウス、トラックボール、ジョイスティック等により構成される。また、操作部４６は、表示部４５に表示されたＧＵＩ（Ｇｒａｐｈｉｃａｌ  Ｕｓｅｒ  Ｉｎｔｅｒｆａｃｅ）を含んでいてもよい。
【００４７】
（生体反応検知部）
生体反応検知部５０は、被検体Ｅの状態を監視し、生体反応を検知することで、生体反応情報としての信号を入力する。対象となる生体反応には、発声、表情、呼吸、発汗、心電図、血圧、筋電図、脳波、瞳孔径、まばたきなどがある。検知対象の生体反応は、たとえば痛みに伴うものである。
【００４８】
発声はマイクロフォンを用いて検知することができる。このときの検知内容としては、発声の内容、声量などがある。発声の内容の検知は、たとえば、生体反応検知部５０に設けられたマイクロプロセッサ（図示せず）が公知の音声認識技術を実行することによって行うことができる。このマイクロプロセッサは、あらかじめ記憶された内容が発声されたか否かをマイクロフォンから出力される電気信号を解析することで判断する。その内容が発生されたと判断されると、マイクロプロセッサは信号を主制御部４１１に入力する。声量の検知は、たとえば、生体反応検知部５０に設けられたマイクロプロセッサ（図示せず）が、マイクロフォンから出力される電気信号を解析することによって行うことができる。このマイクロプロセッサは、この電気信号に基づいて、その音量が所定の閾値以上であるか判断する。音量が閾値以上であると判断されると、マイクロプロセッサは信号を主制御部４１１に入力する。
【００４９】
表情、瞳孔径及びまばたきについては、患者の顔や眼を撮影し、その撮影画像を解析することにより検知できる。表情の検知は、生体反応検知部５０に設けられたマイクロプロセッサ（図示せず）が、撮影画像を解析してあらかじめ記憶された表情の特徴点（たとえば痛みの発生に伴う表情筋の特徴的変化を表す点）を特定し、これら特徴点の位置関係が当該生体反応に対応する位置関係に合致するか判断することにより行うことができる。当該生体反応に対応する位置関係に合致すると判断されると、マイクロプロセッサは信号を主制御部４１１に入力する。瞳孔径の検知は、生体反応検知部５０に設けられたマイクロプロセッサ（図示せず）が、撮影画像を解析して眼に相当する画像領域（眼領域）を抽出し、この眼領域を解析して瞳孔に相当する画像領域（瞳孔領域）を特定し、この瞳孔領域の径を算出することにより行うことができる。マイクロプロセッサは、瞳孔径が所定の許容範囲内にあるか判断する。瞳孔径が許容範囲外であると判断されると、マイクロプロセッサは信号を主制御部４１１に入力する。まばたきの検知は、たとえば、順次に得られる画像から上記瞳孔領域が特定されるか否か判定し、特定されないタイミングがまばたきのタイミングであると判断することで実現できる。マイクロプロセッサは、まばたきが検知されたタイミングで信号を主制御部４１１に入力する。
【００５０】
呼吸、発汗、心電図、血圧、筋電図及び脳波については、それぞれ、公知の呼吸モニタ装置、発汗モニタ装置、心電計、血圧測定器、筋電計、脳波計を用いることで検知できる。これら装置による検知結果を示す電気信号は、生体反応検知部５０に設けられたマイクロプロセッサ（図示せず）に入力される。マイクロプロセッサは、たとえば、この検知結果と所定の閾値とを比較することにより、生体反応が発生したか否か判断する。生体反応が発生したと判断されると、マイクロプロセッサは信号を主制御部４１１に入力する。
【００５１】
生体反応検知部５０は、生体反応の発生だけでなく、生体反応の程度を検知できるように構成されていてもよい。生体反応の程度の例として、声量、表情の崩れ度合い、呼吸の速さ、発汗量、心拍数、血圧値、筋肉の緊張度、脳波の周波数、瞳孔径の大きさ、まばたきの頻度などがある。これら生体反応の程度を表す情報（程度情報）は、生体反応情報としての信号に含まれて主制御部４１１に入力される。
【００５２】
［動作］
この実施形態に係るＸ線ＣＴ装置１の動作について説明する。以下、第１〜第７の動作例を説明する。第１の動作例では、生体反応情報の入力に対応してスキャンを開始／停止させる制御を説明する。第２の動作例では、生体反応情報の入力に対応してＸ線の照射間隔（スキャン条件）を変更する制御を説明する。第３の動作例では、生体反応情報の入力に対応して管電流値（スキャン条件）を変更する制御を説明する。第４の動作例では、生体反応情報の入力に対応して断面間隔（再構成条件）を変更する制御を説明する。第５の動作例では、生体反応情報の入力に対応して画像データに付帯情報を付帯する制御を説明する。第６の動作例では、生体反応情報の入力に対応して画像データに埋め込み情報を埋め込む制御を説明する。第７の動作例では、生体反応の程度情報に応じて異なる付加情報を画像データに付加する制御を説明する。第１〜第７の動作例のうちの任意の２つ以上を組み合わせることができる。
【００５３】
〔第１の動作例〕
第１の動作例は、生体反応情報の入力に対応してスキャンを開始／停止させるものである。ここでは、息継ぎを挟みつつ息を止めた状態でのスキャンを繰り返し行う検査への適用例を説明する。なお、検査の準備は既になされているものとする。すなわち、被検体Ｅは寝台装置３０に載置されて架台装置１０の開口部に挿入されており、かつ、生体反応検知部５０（呼吸モニタ装置）が被検体Ｅに装着されているものとする。第１の動作例の流れを図３に示す。
【００５４】
（Ｓ１：呼吸状態の検知を開始）
生体反応検知部５０による被検体Ｅの呼吸状態の検知を開始する。この段階では、被検体Ｅは通常のように呼吸しているものとする。ユーザ（医師、看護師、放射線技師等）は、任意のタイミングで、呼吸を止めるよう被検体Ｅに指示する。
【００５５】
（Ｓ２：呼吸の停止を検知）
生体反応検知部５０は、被検体Ｅの呼吸の停止を検知すると、その旨を示す生体反応情報（呼吸状態情報）を主制御部４１１に入力する（Ｓ２：ＹＥＳ）。
【００５６】
（Ｓ３：検出データの収集）
この呼吸状態情報を受けた主制御部４１１は、収集制御部４１２に制御信号を送る。収集制御部４１２は、スキャン制御部４２を制御して被検体Ｅに対するＸ線スキャンを開始させる。Ｘ線検出部１２は、被検体Ｅを透過したＸ線を検出する。データ収集部１８は、スキャンに伴いＸ線検出器１２から逐次に生成される検出データを収集する。データ収集部１８は、収集された検出データを前処理部４３１に送る。
【００５７】
（Ｓ４：投影データの生成）
前処理部４３１は、データ収集部１８からの検出データに対して前述の前処理を施して投影データを生成する。
【００５８】
（Ｓ５：ボリュームデータの生成）
再構成処理部４３２は、投影データに再構成処理を施すことにより、ボリュームデータを生成する。
【００５９】
（Ｓ６：ＭＰＲ画像データの生成）
レンダリング処理部４３３は、ボリュームデータに基づくＭＰＲ画像データを生成する。ＭＰＲ画像データは、直交３軸画像のいずれかの画像データでもよいし、任意に設定された断面に基づくオブリーク画像の画像データでもよい。
【００６０】
（Ｓ７：ＭＰＲ画像の表示）
表示制御部４１３は、生成されたＭＰＲ画像データに基づく画像（ＭＰＲ画像）を表示部４５に表示させる。ＭＰＲ画像の表示態様は動画表示でも静止画表示でもよい。この動作例では、呼吸が止まっている間スキャンを反復的に行うことにより（Ｓ８：ＮＯ）、動画表示がなされるものとする。
【００６１】
（Ｓ８：呼吸の開始を検知）
生体反応検知部５０は、被検体Ｅの呼吸の開始を検知すると、その旨を示す生体反応情報（呼吸状態情報）を主制御部４１１に入力する（Ｓ８：ＹＥＳ）。
【００６２】
（Ｓ９：スキャンの停止）
この呼吸状態情報を受けた主制御部４１１は、収集制御部４１２に制御信号を送る。収集制御部４１２は、スキャン制御部４２を制御して被検体Ｅに対するＸ線スキャンを停止させる。この制御は、スキャンに関わる構成部位の全ての動作を停止させるものでもよいし、これらの一部の動作のみを停止させるものでもよい。後者の例として、架台駆動部１５による回転体１３の回転動作を継続させつつ、高電圧発生部１４によるＸ線発生部１１への電力供給を停止させることができる。
【００６３】
（Ｓ１０：検査終了？）
主制御部４１１は、ステップ２〜９の動作を検査の終了（Ｓ１０：ＹＥＳ）まで繰り返し実行させる。
【００６４】
この動作例によれば、被検体Ｅの呼吸状態に応じてスキャン動作を自動で制御することができる。つまり、被検体Ｅの呼吸が止まっているときにスキャンを行なって画像を取得し、呼吸しているときにはスキャンを停止させることができる。したがって、呼吸が止まっている状態における画像を確実に取得できるとともに、不要なＸ線被曝を抑えることができる。更に、呼吸状態を確認してスキャンの開始／停止の操作を行う必要がなくなる。なお、この動作例ではボリュームデータを生成する場合を説明したが、ボリュームデータを生成せずに或る断面の断層像データを生成するようにしてもよい。
【００６５】
〔第２の動作例〕
第２の動作例は、生体反応情報の入力に対応してＸ線の照射間隔（スキャン条件）を変更するものである。第２の動作例の流れを図４に示す。なお、第１の動作例と同様の動作については簡単な説明に留める。
【００６６】
（Ｓ１１：スキャン〜画像表示を開始）
所定のスキャン開始指示が入力されると、主制御部４１１は、図３のステップ３〜７の処理を実行させる。つまり、主制御部４１１は、スキャン、投影データの生成、ボリュームデータの生成、ＭＰＲ画像データの生成、及びＭＰＲ画像の表示を開始させる。なお、この段階のスキャンでは、第１の照射間隔でＸ線が被検体Ｅに照射されるものとする。第１の照射間隔は、生体反応が発生していないときに適用されるものであり、比較的長く設定されている。
【００６７】
（Ｓ１２：生体反応の検知を開始）
生体反応検知部５０による被検体Ｅの生体反応の検知を開始する。
【００６８】
（Ｓ１３：生体反応の発生を検知）
生体反応検知部５０は、生体反応の発生を検知すると、その旨を示す生体反応情報を主制御部４１１に入力する（Ｓ１３：ＹＥＳ）。
【００６９】
（Ｓ１４：Ｘ線照射間隔を減少させてスキャンを継続）
この生体反応情報を受けた主制御部４１１は、収集制御部４１２に制御信号を送る。収集制御部４１２は、Ｘ線照射間隔を第２の照射間隔に切り替えるための制御信号を生成してスキャン制御部４２に送る。スキャン制御部４２は、高電圧発生部１４を制御し、Ｘ線照射間隔を第１の照射間隔から第２の照射間隔に切り替えさせてスキャンを継続させる。第２の照射間隔は、第１の照射間隔より短いものとする。つまり、ステップ１４により、Ｘ線照射間隔が減少される。なお、第１及び第２の照射間隔はあらかじめ設定された値である。
【００７０】
（Ｓ１５〜Ｓ１７：生体反応の停止に伴う処理）
生体反応検知部５０は、生体反応の停止を検知すると、その旨を示す生体反応情報を主制御部４１１に入力する（Ｓ１５：ＹＥＳ）。検査終了の指示がなされた場合（Ｓ１６：ＹＥＳ）、この動作例の処理は終了となる。一方、この段階で検査終了の指示がなされない場合（Ｓ１６：ＮＯ）、主制御部４１１は収集制御部４１２に制御信号を送る。収集制御部４１２は、Ｘ線照射間隔を第１の照射間隔に切り替えるための制御信号を生成してスキャン制御部４２に送る。スキャン制御部４２は、高電圧発生部１４を制御し、Ｘ線照射間隔を第２の照射間隔から第１の照射間隔に切り替えさせてスキャンを継続させる（Ｓ１７）。
【００７１】
（Ｓ１５、Ｓ１８：生体反応が継続している場合の処理）
ステップ１５において生体反応の停止が検知されない場合、つまり生体反応が継続している場合において（Ｓ１５：ＮＯ）、検査終了の指示がなされると（Ｓ１８：ＹＥＳ）、この動作例の処理は終了となる。一方、この段階で検査終了の指示がなされない場合（Ｓ１８：ＮＯ）、生体反応の停止が検出されるまで（Ｓ１５：ＹＥＳ）、現在のスキャン〜画像表示の処理が継続される。
【００７２】
この動作例によれば、被検体Ｅの生体反応の状態（発生／停止）に応じてスキャン条件におけるＸ線照射間隔を自動で制御することができる。具体的には、生体反応が発生していないときには比較的長い照射間隔でスキャンを行なって画像を取得し、生体反応が発生しているときには比較的短い照射間隔でスキャンを行なって画像を取得することができる。したがって、生体反応が発生している状態における画像を確実に取得できるとともに、生体反応が発生していないときのＸ線被曝を抑えることができる。更に、生体反応の発生状態を確認してスキャン条件（Ｘ線照射間隔）の切り替え操作を行う必要がなくなる。
【００７３】
〔第３の動作例〕
第３の動作例は、生体反応情報の入力に対応して管電流値（スキャン条件）を変更するものである。第３の動作例の流れを図５に示す。なお、上記と同様の動作については簡単な説明に留める。
【００７４】
（Ｓ２１：スキャン〜画像表示を開始）
所定のスキャン開始指示が入力されると、主制御部４１１は、スキャン、投影データの生成、ボリュームデータの生成、ＭＰＲ画像データの生成、及びＭＰＲ画像の表示を開始させる。なお、この段階のスキャンでは、第１の管電流値が適用されているものとする。第１の管電流値は、生体反応が発生していないときに適用されるものであり、比較的小さく設定されている。
【００７５】
（Ｓ２２：生体反応の検知を開始）
生体反応検知部５０による被検体Ｅの生体反応の検知を開始する。
【００７６】
（Ｓ２３：生体反応の発生を検知）
生体反応検知部５０は、生体反応の発生を検知すると、その旨を示す生体反応情報を主制御部４１１に入力する（Ｓ２３：ＹＥＳ）。
【００７７】
（Ｓ２４：管電流値を増加させてスキャンを継続）
この生体反応情報を受けた主制御部４１１は、収集制御部４１２に制御信号を送る。収集制御部４１２は、管電流を第２の管電流値に切り替えるための制御信号を生成してスキャン制御部４２に送る。スキャン制御部４２は、高電圧発生部１４を制御し、管電流を第１の管電流値から第２の管電流値に切り替えさせてスキャンを継続させる。第２の管電流値は、第１の管電流値より大きいものとする。つまり、ステップ２４により、管電流値が増加される。なお、第１及び第２の管電流値はあらかじめ設定された値である。
【００７８】
（Ｓ２５〜Ｓ２７：生体反応の停止に伴う処理）
生体反応検知部５０は、生体反応の停止を検知すると、その旨を示す生体反応情報を主制御部４１１に入力する（Ｓ２５：ＹＥＳ）。検査終了の指示がなされた場合（Ｓ２６：ＹＥＳ）、この動作例の処理は終了となる。一方、この段階で検査終了の指示がなされない場合（Ｓ２６：ＮＯ）、主制御部４１１は収集制御部４１２に制御信号を送る。収集制御部４１２は、管電流を第１の管電流値に切り替えるための制御信号を生成してスキャン制御部４２に送る。スキャン制御部４２は、高電圧発生部１４を制御し、管電流を第２の管電流値から第１の管電流値に切り替えさせてスキャンを継続させる（Ｓ２７）。
【００７９】
（Ｓ２５、Ｓ２８：生体反応が継続している場合の処理）
ステップ２５において生体反応の停止が検知されない場合、つまり生体反応が継続している場合において（Ｓ２５：ＮＯ）、検査終了の指示がなされると（Ｓ２８：ＹＥＳ）、この動作例の処理は終了となる。一方、この段階で検査終了の指示がなされない場合（Ｓ２８：ＮＯ）、生体反応の停止が検出されるまで（Ｓ２５：ＹＥＳ）、現在のスキャン〜画像表示の処理が継続される。
【００８０】
この動作例によれば、被検体Ｅの生体反応の状態（発生／停止）に応じてスキャン条件における管電流値を自動で制御することができる。具体的には、生体反応が発生していないときには比較的小さい管電流値でスキャンを行なって画像を取得し、生体反応が発生しているときには比較的大きい管電流値でスキャンを行なって画像を取得することができる。したがって、生体反応が発生しているときには高画質の画像を取得できるとともに、生体反応が発生していないときにはＸ線被曝を抑えることができる。更に、生体反応の発生状態を確認してスキャン条件（管電流）の切り替え操作を行う必要がなくなる。
【００８１】
〔第４の動作例〕
第４の動作例は、生体反応情報の入力に対応して断面間隔（再構成条件）を変更するものである。第４の動作例の流れを図６に示す。なお、上記と同様の動作については簡単な説明に留める。
【００８２】
（Ｓ３１：スキャン〜画像表示を開始）
所定のスキャン開始指示が入力されると、主制御部４１１は、スキャン、投影データの生成、ボリュームデータの生成（再構成処理）、ＭＰＲ画像データの生成、及びＭＰＲ画像の表示を開始させる。なお、この段階の再構成処理では、第１の断面間隔が適用されているものとする。第１の断面間隔は、生体反応が発生していないときに適用されるものであり、比較的広く設定されている。
【００８３】
（Ｓ３２：生体反応の検知を開始）
生体反応検知部５０による被検体Ｅの生体反応の検知を開始する。
【００８４】
（Ｓ３３：生体反応の発生を検知）
生体反応検知部５０は、生体反応の発生を検知すると、その旨を示す生体反応情報を主制御部４１１に入力する（Ｓ３３：ＹＥＳ）。
【００８５】
（Ｓ３４：断面間隔を減少させて再構成処理を継続）
この生体反応情報を受けた主制御部４１１は、処理制御部４１４に制御信号を送る。処理制御部４１４は、断面間隔を第２の断面間隔に切り替えるための制御信号を生成して再構成処理部４３２に送る。再構成処理部４３２は、断面間隔を第１の断面間隔から第２の断面間隔に切り替えて再構成処理を継続する。第２の断面間隔は、第１の断面間隔より狭いものとする。つまり、ステップ３４により、断面間隔が減少される。なお、第１及び第２の断面間隔はあらかじめ設定された値である。
【００８６】
（Ｓ３５〜Ｓ３７：生体反応の停止に伴う処理）
生体反応検知部５０は、生体反応の停止を検知すると、その旨を示す生体反応情報を主制御部４１１に入力する（Ｓ３５：ＹＥＳ）。検査終了の指示がなされた場合（Ｓ３６：ＹＥＳ）、この動作例の処理は終了となる。一方、この段階で検査終了の指示がなされない場合（Ｓ３６：ＮＯ）、主制御部４１１は処理制御部４１４に制御信号を送る。処理制御部４１４は、断面間隔を第１の断面間隔に切り替えるための制御信号を生成して再構成処理部４３２に送る。再構成処理部４３２は、断面間隔を第２の断面間隔から第１の断面間隔に切り替えて再構成処理を継続する（Ｓ３７）。
【００８７】
（Ｓ３５、Ｓ３８：生体反応が継続している場合の処理）
ステップ３５において生体反応の停止が検知されない場合、つまり生体反応が継続している場合において（Ｓ３５：ＮＯ）、検査終了の指示がなされると（Ｓ３８：ＹＥＳ）、この動作例の処理は終了となる。一方、この段階で検査終了の指示がなされない場合（Ｓ３８：ＮＯ）、生体反応の停止が検出されるまで（Ｓ３５：ＹＥＳ）、現在のスキャン〜画像表示の処理が継続される。
【００８８】
この動作例によれば、被検体Ｅの生体反応の状態（発生／停止）に応じて再構成条件における断面間隔を自動で制御することができる。具体的には、生体反応が発生していないときには比較的広い断面間隔で再構成処理を行なって画像を形成し、生体反応が発生しているときには比較的狭い断面間隔で再構成処理を行なって画像を形成することができる。したがって、生体反応が発生しているときには被検体Ｅを細かく観察可能な複数の画像を取得できるとともに、生体反応が発生していないときにはＸ線被曝を抑えることができる。更に、生体反応の発生状態を確認して再構成条件（断面間隔）の切り替え操作を行う必要がなくなる。
【００８９】
〔第５の動作例〕
第５の動作例は、生体反応情報の入力に対応して画像データに付帯情報を付帯するものである。第５の動作例の流れを図７に示す。なお、上記と同様の動作については簡単な説明に留める。
【００９０】
（Ｓ４１：スキャン〜画像表示を開始）
所定のスキャン開始指示が入力されると、主制御部４１１は、スキャン、投影データの生成、ボリュームデータの生成、ＭＰＲ画像データの生成、及びＭＰＲ画像の表示を開始させる。この段階では、ボリュームデータに付帯情報を付帯する処理は実行されていないものとする。
【００９１】
（Ｓ４２：生体反応の検知を開始）
生体反応検知部５０による被検体Ｅの生体反応の検知を開始する。
【００９２】
（Ｓ４３：生体反応の発生を検知）
生体反応検知部５０は、生体反応の発生を検知すると、その旨を示す生体反応情報を主制御部４１１に入力する（Ｓ４３：ＹＥＳ）。
【００９３】
（Ｓ４４：付帯情報の付帯を開始）
この生体反応情報を受けた主制御部４１１は、処理制御部４１４に制御信号を送る。処理制御部４１４は、ボリュームデータに付帯情報を付帯させるための制御信号を生成して情報付加部４３４に送る。情報付加部４３４は、再構成処理部４３２により生成されたボリュームデータに対して所定の付帯情報を付帯させる。この動作例ではボリュームデータが繰り返し生成される。情報付加部４３４は、生体反応が発生している間に収集された検出データに基づく各ボリュームデータに対して付帯情報を付帯させる。また、この動作例では、ボリュームデータに対して付帯情報を付帯させているが、ＭＰＲ画像データに付帯情報を付帯させるようにしてもよい。
【００９４】
（Ｓ４５〜Ｓ４７：生体反応の停止に伴う処理）
生体反応検知部５０は、生体反応の停止を検知すると、その旨を示す生体反応情報を主制御部４１１に入力する（Ｓ４５：ＹＥＳ）。検査終了の指示がなされた場合（Ｓ４６：ＹＥＳ）、この動作例の処理は終了となる。一方、この段階で検査終了の指示がなされない場合（Ｓ４６：ＮＯ）、主制御部４１１は処理制御部４１４に制御信号を送る。処理制御部４１４は、ボリュームデータに対して付帯情報を付帯させる処理を停止させるための制御信号を生成して情報付加部４３４に送る。情報付加部４３４は、ボリュームデータに対して付帯情報を付帯させる処理を停止する（Ｓ４７）。
【００９５】
（Ｓ４５、Ｓ４８：生体反応が継続している場合の処理）
ステップ４５において生体反応の停止が検知されない場合、つまり生体反応が継続している場合において（Ｓ４５：ＮＯ）、検査終了の指示がなされると（Ｓ４８：ＹＥＳ）、この動作例の処理は終了となる。一方、この段階で検査終了の指示がなされない場合（Ｓ４８：ＮＯ）、生体反応の停止が検出されるまで（Ｓ４５：ＹＥＳ）、現在のスキャン〜画像表示の処理と付帯情報を付帯させる処理とが継続される。
【００９６】
この動作例によれば、被検体Ｅの生体反応が発生している間に収集された検出データに基づく画像データに対して付帯情報を付帯することができる。したがって、任意の画像データについて、生体反応が発生しているときの被検体Ｅの状態を表すものであるか、生体反応が発生していないときの状態を表すものであるか容易に判別することが可能となる。また、生体反応の発生状態を確認して付帯情報を付帯させる操作を行う必要がなくなる。更に、主制御部４１１は、画像データと付帯情報とを関連付けて記憶部４４や外部の記憶装置に記憶させ、後に画像を閲覧するときに、付帯情報の有無に応じて表示態様を切り替えることができる。それにより、後の画像閲覧においても、その画像が生体反応の発生中に得られたものか否か容易に判別できる。これは、他の装置により画像を閲覧する場合にも同様である。なお、生体反応の発生の有無は、付帯情報に基づく表示情報を表示させることにより把握される。
【００９７】
〔第６の動作例〕
第６の動作例は、生体反応情報の入力に対応して画像データに埋め込み情報を埋め込むものである。第６の動作例の流れを図８に示す。なお、上記と同様の動作については簡単な説明に留める。
【００９８】
（Ｓ５１：スキャン〜画像表示を開始）
所定のスキャン開始指示が入力されると、主制御部４１１は、スキャン、投影データの生成、ボリュームデータの生成、ＭＰＲ画像データの生成、及びＭＰＲ画像の表示を開始させる。この段階では、ボリュームデータに付帯情報を付帯する処理は実行されていないものとする。
【００９９】
（Ｓ５２：生体反応の検知を開始）
生体反応検知部５０による被検体Ｅの生体反応の検知を開始する。
【０１００】
（Ｓ５３：生体反応の発生を検知）
生体反応検知部５０は、生体反応の発生を検知すると、その旨を示す生体反応情報を主制御部４１１に入力する（Ｓ５３：ＹＥＳ）。
【０１０１】
（Ｓ５４：埋め込み情報の埋め込みを開始）
この生体反応情報を受けた主制御部４１１は、処理制御部４１４に制御信号を送る。処理制御部４１４は、ボリュームデータに埋め込み情報を埋めこませるための制御信号を生成して情報付加部４３４に送る。情報付加部４３４は、再構成処理部４３２により生成されたボリュームデータに対して所定の埋め込み情報を埋め込む。この動作例ではボリュームデータが繰り返し生成される。情報付加部４３４は、生体反応が発生している間に収集された検出データに基づく各ボリュームデータに対して埋め込み情報を埋め込む。また、この動作例では、ボリュームデータに対して埋め込み情報を埋めこんでいるが、ＭＰＲ画像データに埋め込み情報を埋め込むようにしてもよい。
【０１０２】
（Ｓ５５〜Ｓ５７：生体反応の停止に伴う処理）
生体反応検知部５０は、生体反応の停止を検知すると、その旨を示す生体反応情報を主制御部４１１に入力する（Ｓ５５：ＹＥＳ）。検査終了の指示がなされた場合（Ｓ５６：ＹＥＳ）、この動作例の処理は終了となる。一方、この段階で検査終了の指示がなされない場合（Ｓ５６：ＮＯ）、主制御部４１１は処理制御部４１４に制御信号を送る。処理制御部４１４は、ボリュームデータに対する埋め込み情報の埋め込み処理を停止させるための制御信号を生成して情報付加部４３４に送る。情報付加部４３４は、ボリュームデータに対する埋め込み情報の埋め込み処理を停止する（Ｓ５７）。
【０１０３】
（Ｓ５５、Ｓ５８：生体反応が継続している場合の処理）
ステップ５５において生体反応の停止が検知されない場合、つまり生体反応が継続している場合において（Ｓ５５：ＮＯ）、検査終了の指示がなされると（Ｓ５８：ＹＥＳ）、この動作例の処理は終了となる。一方、この段階で検査終了の指示がなされない場合（Ｓ５８：ＮＯ）、生体反応の停止が検出されるまで（Ｓ５５：ＹＥＳ）、現在のスキャン〜画像表示の処理と埋め込み情報を埋め込む処理とが継続される。
【０１０４】
この動作例によれば、被検体Ｅの生体反応が発生している間に収集された検出データに基づく画像データに対して埋め込み情報を埋め込むことができる。したがって、任意の画像データについて、生体反応が発生しているときの被検体Ｅの状態を表すものであるか、生体反応が発生していないときの状態を表すものであるか容易に判別することが可能となる。また、生体反応の発生状態を確認して埋め込み情報を埋めこませる操作を行う必要がなくなる。更に、主制御部４１１は、埋め込み情報が埋め込まれた画像データを記憶部４４や外部の記憶装置に記憶させることができる。それにより、後の画像閲覧においても、その画像が生体反応の発生中に得られたものか否か容易に判別できる。これは、他の装置により画像を閲覧する場合にも同様である。なお、生体反応の発生の有無は、埋め込み情報に基づく表示情報を表示させることにより把握される。
【０１０５】
〔第７の動作例〕
第７の動作例は、生体反応の程度情報に応じて異なる付加情報を画像データに付加するものである。第７の動作例の流れを図９に示す。なお、上記と同様の動作については簡単な説明に留める。
【０１０６】
（Ｓ６１：スキャン〜画像表示を開始）
所定のスキャン開始指示が入力されると、主制御部４１１は、スキャン、投影データの生成、ボリュームデータの生成、ＭＰＲ画像データの生成、及びＭＰＲ画像の表示を開始させる。この段階では、ボリュームデータに付帯情報を付帯する処理は実行されていないものとする。
【０１０７】
（Ｓ６２：生体反応の検知を開始）
生体反応検知部５０による被検体Ｅの生体反応の検知を開始する。
【０１０８】
（Ｓ６３：生体反応の発生を検知）
生体反応検知部５０は、生体反応の発生を検知すると、その生体反応の程度を示す程度情報を含む生体反応情報を主制御部４１１に入力する（Ｓ６３：ＹＥＳ）。
【０１０９】
（Ｓ６４：生体反応の程度に応じた付加情報の付加を開始）
この生体反応情報を受けた主制御部４１１は、これに含まれる程度情報に基づいて制御信号を生成し処理制御部４１４に送る。処理制御部４１４は、この制御信号に応じた付加情報、つまり生体反応の程度に応じた付加情報をボリュームデータに付加させるための制御信号を生成して情報付加部４３４に送る。ここで、処理制御部４１４は、たとえば生体反応の程度と付加情報の態様とを対応付けたテーブル情報をあらかじめ記憶しており、Ｆ程度情報に示す程度に対応する付加情報をこのテーブル情報を参照して特定する。そして、処理制御部４１４は、特定された付加情報に応じた制御信号を生成して情報付加部４３４に送る。情報付加部４３４は、再構成処理部４３２により生成されたボリュームデータに対して当該付加情報を付加する。この動作例ではボリュームデータが繰り返し生成される。情報付加部４３４は、生体反応が発生している間に収集された検出データに基づく各ボリュームデータに対して、そのデータ収集時における程度情報に応じた付加情報を付加する。また、この動作例では、ボリュームデータに対して付加情報を付加しているが、ＭＰＲ画像データに付加情報を付加するようにしてもよい。
【０１１０】
（Ｓ６５〜Ｓ６７：生体反応の停止に伴う処理）
生体反応検知部５０は、生体反応の停止を検知すると、その旨を示す生体反応情報を主制御部４１１に入力する（Ｓ６５：ＹＥＳ）。検査終了の指示がなされた場合（Ｓ６６：ＹＥＳ）、この動作例の処理は終了となる。一方、この段階で検査終了の指示がなされない場合（Ｓ６６：ＮＯ）、主制御部４１１は処理制御部４１４に制御信号を送る。処理制御部４１４は、ボリュームデータに対する付加情報の付加処理を停止させるための制御信号を生成して情報付加部４３４に送る。情報付加部４３４は、ボリュームデータに対する付加情報の付加処理を停止する（Ｓ６７）。
【０１１１】
（Ｓ６５、Ｓ６８：生体反応が継続している場合の処理）
ステップ６５において生体反応の停止が検知されない場合、つまり生体反応が継続している場合において（Ｓ６５：ＮＯ）、検査終了の指示がなされると（Ｓ６８：ＹＥＳ）、この動作例の処理は終了となる。一方、この段階で検査終了の指示がなされない場合（Ｓ６８：ＮＯ）、生体反応の停止が検出されるまで（Ｓ６５：ＹＥＳ）、現在のスキャン〜画像表示の処理と、程度情報に基づく付加情報の付加処理とが継続される。
【０１１２】
この動作例によれば、被検体Ｅの生体反応が発生している間に収集された検出データに基づく画像データに対して付加情報を付加することができる。したがって、任意の画像データについて、生体反応が発生しているときの被検体Ｅの状態を表すものであるか、生体反応が発生していないときの状態を表すものであるか容易に判別することが可能となる。更に、この動作例では、生体反応の程度に応じて異なる付加情報を付加することができるので、その画像データを取得するためのスキャン時における生体反応の程度を把握することが可能である。また、生体反応の発生状態（発生の有無、程度）を確認して付加情報を付加させる操作を行う必要がなくなる。更に、主制御部４１１は、付加情報が付加された画像データを記憶部４４や外部の記憶装置に記憶させることができる。それにより、後の画像閲覧においても、その画像が生体反応の発生中に得られたものか否か判別でき、更に、その画像が得られたときの生体反応の程度を容易に把握できる。これは、他の装置により画像を閲覧する場合にも同様である。なお、生体反応の発生の有無は、付加情報に基づく表示情報を表示させることにより把握される。また、生体反応の程度は、程度情報に応じて付加された付加情報に基づく表示情報（程度に応じて表示態様を違える）を表示させることにより把握される。
【０１１３】
［変形例］
実施形態に係るＸ線ＣＴ装置の変形例について説明する。
【０１１４】
上記の実施形態では、生体反応検知部５０（検知部）を用いて被検体Ｅの生体反応を自動検知しているが、この構成には限定されない。たとえば、被検体Ｅ本人、医師、看護師、放射線技師等が操作部４６を用いて生体反応の状態を手動で入力するようにしてもよい。この場合、所定の操作を行うことによって生体反応の発生／停止を入力することができる。また、操作頻度（たとえばボタンを押下する頻度）を変えることによって、又は操作強度（たとえばボタンを押下する強さ）を変えることによって、生体反応の程度を入力することができる。
【０１１５】
この変形例に係るＸ線ＣＴ装置１００の構成を図１０及び図１１に示す。図１０に示す構成は図１に示す構成から生体反応検知部５０を除いたものであり、図１１に示す構成は図２に示す構成における生体反応検知部５０を操作部４６に置換したものである。生体反応情報の入力元が生体反応検知部５０から操作部４６に代わっただけであるので、詳しい説明は割愛する。
【０１１６】
［作用・効果］
実施形態及び変形例に係るＸ線ＣＴ装置の作用及び効果を説明する。
【０１１７】
Ｘ線ＣＴ装置は、収集部、処理部、入力部、表示部、表示制御部及び制御部を有する。収集部は、架台装置１０（及び寝台装置３０）を含んで構成され、被検体ＥにＸ線を照射してデータを収集する。より詳しくは、この収集部は、被検体ＥをＸ線でスキャンしてデータを収集する。処理部は、処理部４３（特に再構成処理部４３２と情報付加部４３４）を含んで構成され、収集部により収集されたデータを処理して被検体Ｅの画像を形成する。入力部は、生体反応検知部５０又は操作部４６を含んで構成され、被検体Ｅの所定の生体反応の状態を表す生体反応情報を入力する。表示制御部は、表示制御部４１３を含んで構成され、表示部４５に情報を表示させる。制御部は、制御部４１を含んで構成され、入力部により入力された生体反応情報に基づいて収集部、処理部及び表示制御部のうちの少なくとも１つを制御する。このＸ線ＣＴ装置によれば、生体反応情報に基づいて装置各部を制御することができるので、被検者Ｅの生体反応の状態に応じた制御が可能である。
【０１１８】
制御部は、入力された生体反応情報に基づき収集部を制御してスキャンを開始又は停止させることができる。更に、制御部が、生体反応の発生を示す生体反応情報が入力されたことに対応してスキャンの開始又は停止を行わせるように構成することができる。加えて、入力部が、生体反応情報として呼吸状態を示す呼吸状態情報を入力し、制御部が、呼吸の停止を示す呼吸状態情報が入力されたことに対応してスキャンを開始させ、呼吸の開始を示す呼吸状態情報が入力されたことに対応してスキャンを停止させるように構成することができる。このＸ線ＣＴ装置によれば、被検者Ｅの生体反応の状態に応じてスキャンの開始／停止を制御することが可能である。
【０１１９】
制御部は、スキャンが行われているときに入力された生体反応情報に基づきスキャン条件を変更してスキャンを継続させることができる。更に、スキャン条件がＸ線を照射する時間間隔（照射間隔）を含み、制御部が、スキャンが行われているときに生体反応の発生を示す生体反応情報が入力されたことに対応して照射間隔を減少させるように構成することができる。また、スキャン条件が管電流値を含み、制御部が、スキャンが行われているときに生体反応の発生を示す生体反応情報が入力されたことに対応して管電流値を増加させるように構成することができる。このＸ線ＣＴ装置によれば、被検者Ｅの生体反応の状態に応じてスキャン条件を制御してスキャンを行うことが可能である。
【０１２０】
制御部は、スキャンが行われているときに生体反応情報が入力された場合に、当該生体反応情報の入力前に収集されたデータに基づく投影データに対する再構成処理における再構成条件と、入力後に収集されたデータに基づく投影データに対する再構成処理における再構成条件とを違えるように再構成処理部４３２を制御することができる。このとき、再構成条件が断面間隔を含み、制御部が、スキャンが行われているときに生体反応の発生を示す生体反応情報が入力されたことに対応して断面間隔を減少させるように構成することができる。このＸ線ＣＴ装置によれば、被検者Ｅの生体反応の状態に応じて再構成条件を制御して再構成処理を行うことが可能である。
【０１２１】
制御部は、スキャンが行われているときに生体反応情報が入力された場合に、当該生体反応情報に基づく所定の付加情報を画像データに付加する処理を情報付加部４３４（データ処理部）に実行させることができる。更に、制御部が、付加情報としての所定の付帯情報を画像データに付帯させる処理を情報付加部４３４に実行させるように構成することができる。また、制御部が、付加情報としての所定の埋め込み情報を画像データに埋め込む処理を情報付加部４３４に実行させるように構成することができる。加えて、再構成処理部が画像データとしてボリュームデータを生成する場合に、制御部が、ボリュームデータの任意の断面に含まれるボリュームデータ内の位置に埋め込み情報を埋め込む処理を情報付加部４３４に実行させるように構成することができる。このＸ線ＣＴ装置によれば、被検体Ｅの生体反応に応じた付加情報を画像データに付加することができるので、その画像データがどのような生体反応の状態において取得されたものであるのか把握することが可能である。また、画像データに基づく画像と付加情報に基づく表示情報とを表示部４６に表示させるように構成することにより、その画像データがどのような生体反応の状態において取得されたものであるか一目で把握することができる。
【０１２２】
生体反応情報が程度情報を含む場合、制御部は、程度情報が示す生体反応の程度に応じて異なる付加情報を付加させるようにデータ処理部を制御することができる。更に、制御部が、画像データに基づく画像と程度情報に応じた態様の表示情報とを表示部に表示させるように表示制御部を制御するように構成することができる。このＸ線ＣＴ装置によれば、どの程度の生体反応が発生しているときにその画像データが取得されたか把握することができる。
【０１２３】
入力部は、被検体Ｅの状態を監視し、生体反応を検知して生体反応情報としての信号を入力する生体反応検知部５０（検知部）を含んでいてもよい。このＸ線ＣＴ装置によれば、生体反応を自動で検知し、その検知結果に応じて装置各部を制御することができる。このＸ線ＣＴ装置は、特に客観的に判断すべき生体反応を参照して行う検査において有効である。
【０１２４】
入力部は、操作者による操作に対応して生体反応情報としての信号を入力する操作部４６（操作部）を含んでいてもよい。このＸ線ＣＴ装置は、特に主観的に判断すべき生体反応を参照して行う検査において有効である。
【０１２５】
痛みの発生状態に伴う生体反応を示す痛み状態情報を生体反応情報として入力するように入力部を構成することができる。このＸ線ＣＴ装置によれば、痛みの状態と画像データとを対応付けることが可能である。
【０１２６】
以上ではＸ線ＣＴ装置の実施形態について説明したが、同様の構成をＸ線撮影装置に適用することが可能である。Ｘ線撮影装置の実施形態においては、収集部は、Ｘ線管を含むＸ線発生部と、被検体を透過したＸ線を検出するＸ線検出器（平面検出器）とを含んで構成される。処理部、入力部、表示部、表示制御部及び制御部については、Ｘ線ＣＴ装置の実施形態とほぼ同様である。ただし、処理部の具体的な構成は異なる。つまり、Ｘ線撮影装置の処理部は、Ｘ線検出器により収集されたデータを処理して被検体の画像を形成するものとされる。このようなＸ線撮影装置の実施形態によれば、上記したＸ線ＣＴ装置と同様の作用・効果を得ることができる。また、上記したＸ線ＣＴ装置の実施形態に記載された任意の構成や制御をＸ線撮影装置に適用して実施することが可能である。
【０１２７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２８】
１  Ｘ線ＣＴ装置（医用画像診断装置）
１０  架台装置
１１  Ｘ線発生部
１２  Ｘ線検出部
１３  回転体
１４  高電圧発生部
１５  架台駆動部
１６  Ｘ線絞り部
１７  絞り駆動部
１８  データ収集部
３０  寝台装置
４０  コンソール装置
４１  制御部
４１１  主制御部
４１２  収集制御部
４１３  表示制御部
４１４  処理制御部
４２  スキャン制御部
４３  処理部
４３１  前処理部
４３２  再構成処理部
４３３  レンダリング処理部
４３４  情報付加部
４４  記憶部
４５  表示部
４６  操作部
【図１】
0005963163.tif 000002
【図２】
0005963163.tif 000003
【図３】
0005963163.tif 000004
【図４】
0005963163.tif 000005
【図５】
0005963163.tif 000006
【図６】
0005963163.tif 000007
【図７】
0005963163.tif 000008
【図８】
0005963163.tif 000009
【図９】
0005963163.tif 000010
【図１０】
0005963163.tif 000011
【図１１】
0005963163.tif 000012